(57)【要約】【課題】解体用重機のアーム先端に噴霧ユニットを付設又は取り外す事によって、既知の重機を噴霧工事に仕向けることが可能で、湿潤操作を解体・撤去作業に先だって、又は同時に或いは並行して施工する。【解決手段】アーム１の端部に取り付けたクラッシャ２の上部空間に伸出する一対のアーム９の上端部を結んで、噴霧ノズル８を取り付けた回転軸１０の両軸端を軸受すると共に、前記回転軸に中心軸線を通し重錘１１を垂下・固定して、その重力に基づいて前記回転軸１０の中心軸線の周りの回転角度を制御し、前記クラッシャアーム１の角度が変動した時も、前記回転軸１０の回転位置が常に一定になるようにし、常時、クラッシャ２の作業空間を噴霧領域に含むようにした解体用重機のノズルアタッチメント。【選択図】図１
0003128514.tif 000002
【実用新案登録請求の範囲】
【請求項１】
解体用重機のアームの端部に取り付けたクラッシャの上部空間に伸出する一対のアームの上端部を結んで、下周面に噴霧ノズルを取り付けた回転軸の両軸端を軸受すると共に、前記回転軸に中心線を通して重錘を垂下・固定して、その重錘に基づいて前記回転軸の中心軸の周りの回転角度を制御し、前記アームの取り付け角度を変え、同時に伸出アームの角度が変動した時も、前記回転軸の軸線周りの位置が常に一定になるようにし、以って前記噴霧ノズルの噴射方向を一定に保持し、噴霧ノズルにポンプを介して水又は薬液を送給するようにして、前記アームの取付け角度の変化に関係無く、前記噴霧ノズルの噴霧散布範囲が、前記クラッシャの作業範囲を常時、カバーできるものとする解体用重機のノズルアタッチメント。
【請求項２】
一対の伸出アームの基端部とアームの先端部との間を回転軸を介して着脱可能に連結すると共に、前記伸出アームの基端ボス部外周に中心線を通して重錘を垂下・固定し、その重錘を利用して前記ボス部の回転軸の軸線周りの位置を制御し、以って前記アームの取り付け角度を変えた時も、前記伸出アームの角度位置が変化しないようにし、前記アームの取付け角度の変動に関係無く、当該噴霧ノズルの液の散布範囲が、常に前記クラッシャ作業部範囲をカバーする上記第（１）項記載の解体用重機のノズルアタッチメント。
【考案の詳細な説明】
【技術分野】
【０００１】  本考案は、老朽建築物、断熱・耐火材及び焼却炉の解体工事又は微生物濾過フィルター（ＨＥＰＡフィルター）の交換・解体・撤去工事等に伴い必然的に発生する粉塵（特に、アスベスト粉末、ダイオキシンを含む灰、ウィルス等微生物を含む塵埃等）の固定又は飛散防止を目的とする散水装置を付設又は取外し自在にした解体用重機械（クラッシャ）のノズルアタッチメントに関する。
【背景技術】
【０００２】  解体・撤去を必要する老朽建築物は、一般的に住居が密集する都市部に立地していることが多い。そこで、その解体・撤去工事中に発生する粉塵が風に載って広く空間に飛散し、広範囲の周囲住民の健康に悪影響を及ぼす事が無いように、施工前に予め、例えば、被撤去建築物の周りに幕を張って外部空間と遮断し、解体空間を負圧にして、工事中に発生する粉塵が周りに拡散しないようにするとか、工事前に、被解体材を充分に湿らせて粉塵の発生を抑制又は固定するなどの準（予）備工事を施しているのが現状である。【０００３】  何れにしても、解体・撤去工事の施工前に、別途に準備措置を施す事を要し、本来の解体作業に加えて、工数が増加せざるを得ない。
又、工事対象物を幕で蔽って外界と遮断するとしても、解体・撤去工事中に発生する粉塵が少なくなる訳では無いから、これに加えて界面活性剤を含む水を散布して被解体材を充分に湿潤させ、工事中に発生する粉塵の抑制又は固定をしなければならない。液の散布・噴霧の準備作業の進捗状況、時期又は時間に応じて解体・撤去の日程が制約される。【０００４】  にも拘らず、従来の解体用重機には、その種目的の工事を施す装備が準備されていなかった。
この改善策としては、解体用機械（重機）に液の噴霧装置を（公知の機構を利用して）付設し、又は、取り外すようにし、公知の解体用機械を利用し作業に先だって又は解体作業中に工事現場又は被解体材を湿潤させて、発生する粉塵の抑制及び固定を行うようにするものである。本考案によれば、既知の解体用機械を簡単な手当により噴霧作業に仕向け、又、噴霧装置の作業領域が常にクラッシヤの作業部を包括しているので、撤去作業前又は直前に目的の被解体材を充分湿潤させて、作業時の粉塵の発生を抑制又は固定することが可能である。解体・撤去作業中に発生する粉塵そのものを湿潤させてその拡散を抑制する事も可能である。【０００５】  被解体物の構造によっては、施工以前の水を散布・噴霧が充分に届かない個所があって、作業中発生する粉塵を抑制する事が出来ない場合も生じるが、本考案によれば、クラッシャ部に対して水の散布・噴霧が不完全であることは生じない。更に、作業中に、粉塵の発生状態を観察しながら、必要に応じて適切な液の散布・噴霧を行うことが可能である。
【非特許文献１】建築物の解体等工事における「石綿粉じんへのばく露防止マニュアル」建築業労働災害防止協会企画開発課  平成１７年  ８月  ９日  初版発行
【考案の開示】
【考案が解決しようとする課題】
【０００６】  解決しようとする問題点は、解体作業の施工に先だって、既知の解体用重機を噴霧作業向けに仕向けること、解体・撤去作業とは別個に作業領域の被解体物に液の散布・噴霧を施す為の予備工事を省略すること、常に解体・撤去部の直上位置から適確に液の散布・噴霧を施す事を可能にすること、粉塵の発生を目視・確認しながら、時間を置かずに液の散布・噴霧量、時期・時間を調節できること、にある。
【課題を解決するための手段】
【０００７】  本考案は、（１）解体用重機のアームの端部に取り付けたクラッシャの上部空間に伸出する一対のアームの上端部を結んで、下周面に噴霧ノズルを取り付けた回転軸の両軸端を軸受すると共に、前記回転軸に中心線を通して重錘を垂下・固定して、その重錘に基づいて前記回転軸の中心軸の周りの回転角度を制御し、前記アームの取り付け角度を変え、同時に伸出アームの角度が変動した時も、前記回転軸の軸線周りの位置が常に一定になるようにし、以って前記噴霧ノズルの噴射方向を一定に保持し、噴霧ノズルにポンプを介して水又は薬液を送給するようにして、前記アームの取付け角度の変化に関係無く、前記噴霧ノズルの噴霧散布範囲が、前記クラッシャの作業範囲を常時、カバーできるものとする解体用重機のノズルアタッチメント。【０００８】（２）一対の伸出アームの基端部とアームの先端部との間を回転軸を介して着脱可能に連結すると共に、前記伸出アームの基端ボス部外周に中心線を通して重錘を垂下・固定し、その重錘を利用して前記ボス部の回転軸の軸線周りの位置を制御し、以って前記アームの取り付け角度を変えた時も、前記伸出アームの角度位置が変化しないようにし、前記アームの取付け角度の変動に関係無く、当該噴霧ノズルの液の散布範囲が、常に前記クラッシャ作業部範囲をカバーする上記第（１）項記載の解体用重機のノズルアタッチメントを特徴とする。
【考案の効果】
【０００９】  本考案のノズルアタッチメントは、既知の解体用重機に対し簡単な手続きにより付属させて、噴霧工事に仕向ける事ができ、又、不必要な場合は取り外すことが可能である。
伸出アームの先端部に取り付けた噴霧ノズルの噴霧領域が常にクラッシャ部をカバーしているので、作業前に湿潤手当が可能でなかった被解体物の如何なる場所でも、充分に湿潤することができ、更に、解体時に新たに見付かった未噴霧の個所についても、解体作業の進行に伴って適切に湿潤することが出来、粉塵の発生量が抑制される。【００１０】  解体施工に当たって、予め、湿潤の準備工程を組む必要が無いし、解体工事の日程を。準備工程実施のために、制約されることが少ない。
【考案を実施するための最良の形態】
【００１１】  如何なる既知の解体用重機にも着脱可能であって、噴霧作業に仕向けることが可能であること。
アームが如何なる角度を採っても、伸出アーム先端に取り付けた噴霧ノズルの噴射領域の中心線は、常にクラッシャ作業部に向いて揺動して、前記粉塵発生個所をカバーしていること。
【実施例１】
【００１２】  図１は、本考案装置の一実施例の全体側面図を示し、例えば、解体用重機の前面に取り付けたクラッシャアーム１の先端部に一対のクラッシャ爪２を軸止し、前記クラッシャ爪に油圧装置を連動させ、爪の口部３を開閉して被撤去物を摘み、かつ、移動させて解体するように構成したものにおいて、被解体物の構造に応じ、クラッシャアーム１の取付け角度を変動させ、前記クラッシャ爪２の口部３を上下させて被撤去物件に近接するように移動させ、前記爪の口部３を開閉して被解体物を摘み移動させて、解体作業を実施する解体用重機の一例である。【００１３】  前記解体用重機のクラッシャアーム１の先端部には、前記クラッシャ爪２とは別に噴霧ユニット４が取り付けてある。此の噴霧ユニット４の伸出アーム９基部は、例えば、クラッシャアーム１の先端部を縦貫する軸１２の両端部に嵌着したボス１３に固着されており、相互回転しないよう両アーム間にはストッパーを設けて、クラッシャアーム１の先端部に取り付け、又は取り外す事が可能である。【００１４】  又、伸出アーム９の先端部には、両端を回転自在に軸受けされ、クラッシャ２側の周面の軸方向に連設した噴霧ノズル８を備えた回転シャフト（ノズル取付け軸）１０が設けてあり、その中心軸線を通してし重錘１１を垂下・固着し、この重錘１１の重さを利用して、ノズル取付け軸１０の中心軸線周りの揺動を制御し、一対の伸出（ノズル）アーム９の取付け角度θが変動した時にも、ノズル取付け軸１０に設けた噴霧ノズル８の噴霧方向軸が変動しない機構を形成する。【００１５】  噴霧ノズル８は、解体用重機に付設した水又は薬液タンク５に取り付けたポンプ６に連結するホース７に連通し、予めクラッシャ爪２の口部３、即ち、直接に被解体物件付近及び撤去作業の現場を湿潤して、解体作業中、被解体物から必然的に発生する粉塵、塵埃の飛散を抑制又は防止する。
従って、水又は薬液の噴霧時期、時間、噴霧量は、重機の操縦者が解体作業の実情に応じて制御する事ができるものとされている。【００１６】  上記のように、噴霧ユニット４はノズル（伸出）アーム９の先端部に両端を回転自在に軸受け（要すれば、防塵ボール軸受、ローラ軸受を施す）され、クラッシャ爪２に向いた周面に、軸方向に複数個設けた噴霧ノズル８を備えた回転シャフト（ノズル取付け軸）１０と、その中心軸線を通してし重錘１１を垂下・固着し、その重錘１１の重さを利用して、ノズル取付け軸１０の中心軸線周りの揺動を制御し、一対のノズルアーム９の取付け角度θが変動した時にも、ノズル取付け軸１０に設けた噴霧ノズル８の噴霧方向軸が変動しない機構とより形成される。
そして何れの噴霧ノズル８は、連結するホース７から水又は薬液を供給されて噴霧・制御され、クラッシャ爪２の口部３付近を湿潤する。【００１７】  図２及び図３は、前記噴霧ユニット４の一部詳細側面図及び正面図を示し、前述のような機構を採用する事によって、工事中、クラッシャアーム１の取付け角度を変え（その時は自動的に一対のノズルアーム９の取付け角度θが変動する）、クラッシャ爪２の位置を上下して、作業口３部を被解体物件に近付くよう又は撤去するように操作した結果、一対のノズルアーム９の取付け角度θが変動した時にも、重錘が噴霧ノズル取付け軸１０の軸周りの揺動を制御し、その結果、噴霧ノズル８の噴霧方向が変動せず、常にクラッシャ作業部を指向し、その噴霧領域が作業部をカバーしている為、効果的に粉塵の発生を抑制する事ができる。
【実施例２】
【００１８】  同じく、図２及び図３は、前記噴霧ユニット４の実施例２の詳細側面図及び正面図を示すもので、図中、実施例１において解説した機構（符号、作用を含めて）は、実施例２でも、その侭、採用している。
図中、クラッシャアーム１の先端部と一対のノズルアーム９の基端ボス部１３とは、回転自在なシャフト１２を介して連結され、かつ、ノズルアーム９の基端ボス部の外周に中心軸線を通し、重錘１４を垂下・固着して、その重錘１４の重さを利用する事により、ボス１３、即ち一対のノズルアーム９のシャフト１２周りの揺動を制御し、以ってクラッシャアーム１の取付け角度（図２において）が変動した時でも、一対のノズルアーム９の取付け角度θ、即ち、噴霧ノズル取付け軸１０の回動位置が変動しないように構成する。【００１９】  工事中、クラッシャアーム１の先端部を上下に移動させ、噴霧ノズル取付け軸１０が、被解体材に当たったときには、ノズルアーム９は回転シャフト１２を軸として回動して退避するし、又、元に復したときは、重錘１４の復元装置を利用して、旧角度を保つ。
何れの場合にも、噴霧ノズルの噴射方向は変動することが無い。
【実施例３】
【００２０】  上記実施例では、本考案の噴霧ユニット４は、クラッシャ用重機に付設した場合について、説明したが、その主要構造を変えること無く、バイブロ破砕機にも施すことが可能で、その際の作用、効果も、先の説明から、大きく逸脱するするものではない。
尚、取付け、取外し構造は、既知の機構を採用する。先のクラッシャアーム１の先端部を縦貫する軸１２及びボス部もその一例を示す。
【産業上の利用可能性】
【００２１】  本考案装置を解体用重機に付設又は取り外すことによって、従来、噴霧装置を準備してない解体用重機も簡単に噴霧作業に振り向けることが可能であり、従来、噴霧工事を予備又は付帯作業として、本体工事から分離されていたものを合わせて実施可能とした点において、解体手順を円滑に進めることができ、又、解体・撤去工事中でも、充分でなかった湿潤手当を補償して、場所、時間を問わず実施が出来ることにおいて、経済的メリットが在るものと信じられる。
【図面の簡単な説明】
【００２２】
【図１】ノズルアタッチメントを附設した解体用重機の側面図
【図２】噴霧ユニットの詳細側面図（第１実施例、第２実施例とも）
【図３】噴霧ユニットの詳細正面図（第１実施例、第２実施例とも）
【符号の説明】
【００２３】１    クラッシャアーム
２    クラッシャ爪
３    クラッシャ口部
４    噴霧ユニット
５    水又は薬液タンク
６    ポンプ
７    ホース
８    噴霧ノズル
９    伸出アーム
１０  シャフト
１１  重錘
１２  回転シャフト
１３  ボス
１４  重錘
【図１】
0003128514.tif 000003
【図２】
0003128514.tif 000004
【図３】
0003128514.tif 000005
【手続補正書】
【提出日】平成18年11月10日(2006.11.10)
【手続補正１】
【補正対象書類名】実用新案登録請求の範囲
【補正対象項目名】請求項２
【補正方法】変更
【補正の内容】
【請求項２】
一対の伸出アームの基端部とアームの先端部との間を回転軸を介して着脱可能に連結すると共に、前記伸出アームの基端ボス部外周に中心線を通して重錘を垂下・固定し、その重錘を利用して前記ボス部の回転軸の軸線周りの位置を制御し、以って前記アームの取り付け角度を変えた時も、前記伸出アームの角度位置が変化しないようにし、前記アームの取付け角度の変動に関係無く、当該噴霧ノズルの液の散布範囲が、常に前記クラッシャ作業部範囲をカバーする請求項１記載の解体用重機のノズルアタッチメント。